(57)【要約】ハイブリッド・マルチモード移動局は、前のパケットの最後の再送に使用されたのと同じＯＦＤＭＡまたはプリコーデッドＣＤＭＡモードを使用して新しいユーザ・データ・パケットを符号化し、変調する、または前のパケットの測定平均送信電力、および基地局によって行われた測定から決定され、基地局に直接報告される、または基地局によって行われ、移動局に改めて報告される測定から移動局によって計算される信号対干渉雑音電力比ＳＩＮＲの入力に基づいて、モードを切り替える決定を行う。
2009543524.tif 000002
【特許請求の範囲】
【請求項１】
基地局と通信する無線通信システムにおける移動局での方法であって、
前のユーザ・データのための前記移動局の測定平均送信電力に応答して決定される第１または第２のあらかじめ定められた符号化／変調モード、および前記基地局で測定され、前記移動局に報告される、または前記基地局によって行われ、前記移動局に報告される測定から前記移動局によって計算される信号対干渉雑音電力比ＳＩＮＲで、新しいユーザ・データを送信するアップリンクを操作するステップであって、前記第１および第２の符号化／変調モードのピーク電力対平均電力比ＰＡＰＲが異なるステップ
を含む方法。
【請求項２】
前記第１の符号化／変調モードが、プレコーデッドＣＤＭＡ（符号分割多元接続）モードであり、前記第２のモードが、ＯＦＤＭＡ（直交周波数分割多元接続）である請求項１に記載の方法。
【請求項３】
前のユーザ・データ・パケットがＯＦＤＭＡモードを使用して送信され、１つまたは複数のフレームにわたって測定された前記前のユーザ・データ・パケットの前記測定平均送信電力が最大平均ＯＦＤＭＡ送信電力未満であるとき、新しいユーザ・データ・パケットが前記ＯＦＤＭＡモードを使用して送信される請求項２に記載の方法。
【請求項４】
前記新しいユーザ・データ・パケットが最大許容平均ＯＦＤＭＡ電力を使用して送信され、前記最大許容平均ＯＦＤＭＡ電力が、前記最大平均ＯＦＤＭＡ送信電力、および前記移動局自体のセクタに隣接する１つまたは複数のセクタからの制御信号によって課せられる電力制限のうちの最小値である請求項３に記載の方法。
【請求項５】
前のユーザ・データ・パケットがＣＤＭＡモードを使用して送信され、１つまたは複数のフレームにわたって測定された前記前のユーザ・データ・パケットの前記測定平均送信電力が最大平均ＯＦＤＭＡ送信電力を上回るとき、新しいユーザ・データ・パケットが前記ＣＤＭＡモードを使用して送信される請求項２に記載の方法。
【請求項６】
前記新しいユーザ・データ・パケットが最大許容平均ＣＤＭＡ電力を使用して送信され、前記最大許容平均ＣＤＭＡ電力が、前記最大平均ＣＤＭＡ送信電力、および前記移動局自体のセクタに隣接する１つまたは複数のセクタからの制御信号によって課せられる電力制限のうちの最小値である請求項５に記載の方法。
【請求項７】
前記前のユーザ・データ・パケットが前記ＯＦＤＭＡモードを使用して送信されたとき、１つまたは複数のフレームにわたって測定された前記前のユーザ・データ・パケットの前記測定平均送信電力が最大平均ＯＦＤＭＡ送信電力以上であるとき、および前記受信されたまたは計算されたＳＩＮＲが最小許容可能ＯＦＤＭＡデータ・レートに対応する閾値以下であるとき、前記新しいユーザ・データ・パケットが前記ＣＤＭＡモードを使用して送信される請求項３に記載の方法。
【請求項８】
前記前のユーザ・データ・パケットが前記ＯＦＤＭＡモードを使用して送信されたとき、１つまたは複数のフレームにわたって測定された前記前のパケットの前記測定平均送信電力が前記最大平均ＯＦＤＭＡ送信電力以上であるとき、および前記受信されたまたは計算されたＳＩＮＲが前記最小許容可能ＯＦＤＭＡデータ・レートに対応する前記閾値を超え、かつ／または許容可能なＣＤＭＡ送信電力が前記最大平均ＯＦＤＭＡ送信電力以上であるとき、前記新しいユーザ・データ・パケットが前記ＣＤＭＡモードを使用して送信される請求項７に記載の方法。
【請求項９】
前記前のユーザ・データ・パケットが前記ＣＤＭＡモードを使用して送信されたとき、１つまたは複数のフレームにわたって測定された前記前のパケットの前記測定平均送信電力が前記最大平均送信ＯＦＤＭＡ電力未満であるとき、および前記受信されたまたは計算されたＳＩＮＲが、より高いデータ・レートが前記ＣＤＭＡモードではなく前記ＯＦＤＭＡモードを使用して達成可能であるときを決定する閾値以上であるとき、前記新しいユーザ・データ・パケットが前記ＯＦＤＭＡモードを使用して送信される請求項５に記載の方法。
【請求項１０】
前記前のユーザ・データ・パケットが前記ＣＤＭＡモードを使用して送信されたとき、１つまたは複数のフレームにわたって測定された前記前のパケットの前記測定平均送信電力が前記最大平均ＯＦＤＭＡ送信電力未満であるとき、および前記受信されたまたは計算されたＳＩＮＲが、より高いデータ・レートが前記ＣＤＭＡモードではなく前記ＯＦＤＭＡモードを使用して達成可能であるときを決定する前記閾値未満であり、かつ／または許容可能な平均ＯＦＤＭＡ送信電力が１つまたは複数のフレームにわたって測定された前記前のパケットの前記測定平均送信電力を上回るとき、前記新しいユーザ・データ・パケットが前記ＣＤＭＡモードを使用して送信される請求項９に記載の方法。
【請求項１１】
無線通信システムにおける移動局であって、前記無線通信システムにおける基地局に動作可能に接続される前記移動局が、
第１の符号化／変調モードにおいて、新しいユーザ・データを処理するよう動作可能な第１のエンコーダ／変調器と、
第２の符号化／変調モードにおいて、前記新しいユーザ・データを処理するよう動作可能な第２のエンコーダ／変調器と、
前記第１のエンコーダ／変調器または第２のエンコーダ／変調器から符号化され変調された新しいユーザ・データを送信する送信器と、
前記第１のモードで前記第１のエンコーダ／変調器、または前記第２のモードで前記第２のエンコーダ／変調器によって処理する新しいユーザ・データを提供し、前記符号化され変調された新しいユーザ・データを前記送信器に提供するよう動作可能なスイッチであって、前記スイッチが、前のユーザ・データのための前記移動局の測定平均送信電力、および前記基地局で測定され、前記移動局に報告される、または前記基地局によって行われ、前記移動局に報告される測定から前記移動局によって計算される信号対干渉雑音電力比ＳＩＮＲに応答して、前記第１のエンコーダ／変調器と前記第２のエンコーダ／変調器との間を切り替え、前記第１および第２の符号化／変調モードの前記ピーク電力対平均電力比ＰＡＰＲが異なるスイッチと
を含む移動局。
【請求項１２】
前記第１の符号化／変調モードが、プレコーデッドＣＤＭＡ（符号分割多元接続）モードであり、前記第２のモードが、ＯＦＤＭＡ（直交周波数分割多元接続）モードである請求項１１に記載の移動局。
【請求項１３】
前のユーザ・データ・パケットが前記ＯＦＤＭＡモードを使用して送信され、１つまたは複数のフレームにわたって測定された前記前のユーザ・データ・パケットの前記測定平均送信電力が最大平均ＯＦＤＭＡ送信電力未満であるとき、前記スイッチが、新しいユーザ・データ・パケットを前記ＯＦＤＭＡモードでの処理用に切り替えるよう動作可能である請求項１２に記載の移動局。
【請求項１４】
前記新しいユーザ・データ・パケットが最大許容平均ＯＦＤＭＡ電力を使用して送信され、前記最大許容平均ＯＦＤＭＡ電力が、前記最大平均ＯＦＤＭＡ送信電力、および前記移動局自体のセクタに隣接する１つまたは複数のセクタからの制御信号によって課せられる電力制限のうちの最小値である請求項１３に記載の移動局。
【請求項１５】
前のユーザ・データ・パケットが前記ＣＤＭＡモードを使用して送信され、１つまたは複数のフレームにわたって測定された前記前のユーザ・データ・パケットの前記測定平均送信電力が最大平均ＯＦＤＭＡ送信電力を上回るとき、前記スイッチが、新しいユーザ・データ・パケットを前記ＣＤＭＡモードでの処理用に切り替えるよう動作可能である請求項１２に記載の移動局。
【請求項１６】
前記新しいユーザ・データ・パケットが最大許容平均ＣＤＭＡ電力を使用して送信され、前記最大許容平均ＣＤＭＡ電力が、前記最大平均ＣＤＭＡ送信電力、および前記移動局自体のセクタに隣接する１つまたは複数のセクタからの制御信号によって課せられる電力制限のうちの最小値である請求項１５に記載の移動局。
【請求項１７】
前記前のユーザ・データ・パケットが前記ＯＦＤＭＡモードを使用して送信されたとき、１つまたは複数のフレームにわたって測定された前記前のユーザ・データ・パケットの前記測定平均送信電力が最大平均ＯＦＤＭＡ送信電力以上であるとき、および前記受信されたまたは計算されたＳＩＮＲが最小許容可能ＯＦＤＭＡデータ・レートに対応する閾値以下であるとき、前記スイッチが、新しいユーザ・データ・パケットを前記ＣＤＭＡモードでの処理用に切り替えるよう動作可能である請求項１３に記載の移動局。
【請求項１８】
前記前のユーザ・データ・パケットが前記ＯＦＤＭＡモードを使用して送信されたとき、１つまたは複数のフレームにわたって測定された前記前のパケットの前記測定平均送信電力が前記最大平均ＯＦＤＭＡ送信電力以上であるとき、および前記受信されたまたは計算されたＳＩＮＲが前記最小許容可能ＯＦＤＭＡデータ・レートに対応する前記閾値を超え、かつ／または許容可能なＣＤＭＡ送信電力が前記最大平均ＯＦＤＭＡ送信電力以上であるとき、前記新しいユーザ・データ・パケットが前記ＣＤＭＡモードを使用して送信される請求項１７に記載の移動局。
【請求項１９】
前記前のユーザ・データ・パケットが前記ＣＤＭＡモードを使用して送信されたとき、１つまたは複数のフレームにわたって測定された前記前のパケットの前記測定平均送信電力が前記最大平均送信ＯＦＤＭＡ電力未満であるとき、および前記受信されたまたは計算されたＳＩＮＲが、より高いデータ・レートが前記ＣＤＭＡモードではなく前記ＯＦＤＭＡモードを使用して達成可能であるときを決定する閾値以上であるとき、前記新しいユーザ・データ・パケットが前記ＯＦＤＭＡモードを使用して送信される請求項１５に記載の移動局。
【請求項２０】
前記前のユーザ・データ・パケットが前記ＣＤＭＡモードを使用して送信されたとき、１つまたは複数のフレームにわたって測定された前記前のパケットの前記測定平均送信電力が前記最大平均ＯＦＤＭＡ送信電力未満であるとき、および前記受信されたまたは計算されたＳＩＮＲが、より高いデータ・レートが前記ＣＤＭＡエンコーダ／変調器ではなく前記ＯＦＤＭＡエンコーダ／変調器を使用して達成可能であるときを決定する前記閾値未満であり、かつ／または許容可能な平均ＯＦＤＭＡ送信電力が１つまたは複数のフレームにわたって測定された前記前のパケットの前記測定平均送信電力を上回るとき、前記新しいユーザ・データ・パケットが前記ＣＤＭＡモードを使用して送信される請求項１９に記載の移動局。
【発明の詳細な説明】
【技術分野】
【０００１】
本発明は、無線通信に関し、より詳細には、マルチモード・システムにおける移動局と基地局との間のアップリンク伝送で、同じ通信モードにとどまる、または通信モードを切り替えることを決定する方法に関する。
【背景技術】
【０００２】
３ＧＰＰ２標準機関になされた提案（Framework proposal for LBC mode of Rev C, C30-20060625-054R1, a contribution of a joint proposal for loosely backward compatible FDD mode of HRPD Rev C made by China Unicom, Huawei Technologies, KDDI, Lucent Technologies, Motorola, Nortel Networks, QUALCOMM Incorporated, RITT, Samsung Electronics, and ZTE, dated June 26, 2006）には、移動局ＭＳと基地局ＢＳとの間のアップリンクにおいてプリコーデッド符号分割多元接続（ｐｒｅ−ｃｏｄｅｄ  Ｃｏｄｅ  Ｄｉｖｉｓｉｏｎ  Ｍｕｌｔｉｐｌｅ  Ａｃｃｅｓｓ：プリコーデッドＣＤＭＡ）および直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＯＦＤＭＡ）を組み込むシステムが記載されている。このハイブリッドＣＤＭＡ−ＯＦＤＭＡアップリンクは、異なるタイプのトラフィックをより効率的にサポートできるようにするためのものである。一般に、このハイブリッド・システムによって、比較的高いデータ・レートのベストエフォート・トラフィックをＯＦＤＭＡエアインターフェイスで運ぶことができ、遅延制約型トラフィックをＣＤＭＡエアインターフェイスを介して運ぶことが提案されている。
【０００３】
よく知られているように、ＣＤＭＡは、複数のユーザが一意の拡散符号のそれぞれの使用によって区別される方式である。実際の拡散系列は、パルス波形を振幅変調または位相変調する（直接拡散［ＤＳ］ＣＤＭＡまたはパルス形ＣＤＭＡ）によって、または１組の直交正弦波音（マルチキャリア［ＭＣ］ＣＤＭＡ）で運ぶことができる。後者の場合、拡散系列は、直交した音を変調する前に符号化することもできる。この種の多元接続方式は、上記のプリコーデッドＣＤＭＡであり、コーダが離散型フーリエ変換ＤＦＴ行列であるとき、ＤＦＴ−ＣＤＭＡと呼ばれる。
【０００４】
ＯＦＤＭＡは、一意の組の正弦波周波数がセクタ内の各ユーザに割り当てられる方式である。ＭＣ−ＣＤＭＡおよびプリコーデッドＣＤＭＡは、３つの点でＯＦＤＭＡとは異なる。第１に、複数のユーザが、ＭＣ−ＣＤＭＡシステムまたはプリコーデッドＣＤＭＡシステムにおいて同じ組の周波数を介して送信することができる。第２に、これら２つの場合において、コヒーレント検出を可能にするために、異なるパイロット構造を使用することができる。第３に、プリコーデッドＣＤＭＡの場合において、プリコーダの適切な選択によって、ピーク電力対平均電力比ＰＡＰＲを、ＯＦＤＭＡ伝送の場合より低くなるように制御することができる。
【０００５】
複数のユーザが同じ周波数で送信することができるため、ＣＤＭＡリンクは、特定のユーザに対する周波数の割り振りおよび割り振り解除を行う、基地局によるスケジューリングを必要としない。したがって、ＣＤＭＡは、アップリンクにおける自律動作を可能にし、特に、初期ランダム・アクセス、バースト情報の伝送、および厳しい遅延制約付きのトラフィックに適する。ＯＦＤＭＡシステムの場合、周波数リソースは、割り振りおよび割り振り解除が行われる（または割り振られ、維持される）必要があり、これは、追加の遅延、およびこれらの許可を伝えるための順方向リンクＦＬ電力および帯域幅リソースの使用を伴う。周波数リソースが割り振られ、維持される必要があるシステムは、周波数がかなりの期間未使用のままであり得るため、不都合にも、逆方向リンク・リソースの使用での効率が悪くなり得る。
【０００６】
現在の最新技術によれば、提案された３ＧＰＰ２システムなどのハイブリッド・システムにおいて、ユーザ・データの新しいパケットは、データが表すトラフィックのタイプに従って移動局によってアップリンクで送信される。したがって、上述したように、比較的高いデータ・レートのベストエフォート・トラフィックは、ＯＦＤＭＡエアインターフェイスで運ばれ、ＶＯＩＰ（Ｖｏｉｃｅ  Ｏｖｅｒ  Ｉｎｔｅｒｎｅｔ  Ｐｒｏｔｏｃｏｌ）などのより低いレートのトラフィックは、ＣＤＭＡエアインターフェイスで運ばれ、この場合、これは、自律的に送信することができ、ＯＦＤＭＡが必要とする周波数の割り振りの遅延および帯域幅の犠牲を回避する。図１は、プリコーデッドＣＤＭＡエンコーダ／変調器１０２、およびＯＦＤＭＡエンコーダ／変調器１０３を組み込む、上記の３ＧＰＰ２標準提案を踏まえた従来のハイブリッド移動局１０１の高レベル・ブロック図である。エンコーダ／変調器１０２および１０３の入力および出力におけるスイッチ１０６は、パケットが表すトラフィックのタイプに従って、プリコーデッドＣＤＭＡまたはＯＦＤＭＡを介して新しいユーザ・データ・パケット１０４を符号化し、変調するために、共通に切り替えられる。次いでＣＤＭＡまたはＯＦＤＭＡで符号化され、変調されたユーザ・データ・パケットは、増幅器／送信器１０８によってアップリンク１０７で増幅され、送信される。
【０００７】
上述したように、プリコーデッドＣＤＭＡおよびＯＦＤＭＡは、ＰＡＰＲの特徴において異なる。プリコーデッドＣＤＭＡ伝送は、ＯＦＤＭＡ伝送より低いＰＡＰＲを有する。ＰＡＰＲにおけるこの差は、２つのエアインターフェイスでの異なる最大平均送信電力に直接つながる。例えば、プリコーデッドＣＤＭＡを使用して送信している間、移動局が２００ミリワット（ｍｗ）の平均電力での伝送を維持し得る同じ電力の増幅器では、ＯＦＤＭＡを使用している間、これは、１２０ｍｗ未満の平均送信電力を維持することができる。これは、ＯＦＤＭＡ伝送でのＰＡＰＲはより高いという事実の結果であり、ＯＦＤＭＡとプリコーデッドＣＤＭＡの場合に似た平均を上回るパワー・エクスカーションを維持するために、最大平均送信電力は、ＯＦＤＭＡの場合により低い必要がある。ＯＦＤＭＡ伝送の場合のこのより低い許容平均送信電力の実際の意味合いは、こうしたＯＦＤＭＡ伝送の場合のセル半径はＣＤＭＡ伝送より小さい、すなわち、既存のＤＳ−ＣＤＭＡシステムの場合に配置されたセクタの端においてより低いデータ・レートがサポートされるということである。この問題を軽減するための従来の解決策は、高価なＰＡＰＲ低減技術をＯＦＤＭＡ波形に適用する、またはより強力で、したがってより高価な電力増幅器を使用することを必要とする。
【非特許文献１】Framework proposal for LBC mode of Rev C, C30-20060625-054R1, a contribution of a joint proposal for loosely backward compatible FDD mode of HRPD Rev C made by China Unicom, Huawei Technologies, KDDI, Lucent Technologies, Motorola, Nortel Networks, QUALCOMM Incorporated, RITT, Samsung Electronics, and ZTE, dated June 26, 2006
【発明の概要】
【発明が解決しようとする課題】
【０００８】
したがって、既存のＤＳ−ＣＤＭＡシステムと新しく提案されたハイブリッドＯＦＤＭＡ−プリコーデッドＣＤＭＡシステムとの間のセル端におけるデータ・レートを一致させるのに、あまり高価ではない方法が必要である。
【課題を解決するための手段】
【０００９】
本発明の一実施形態において、ハイブリッド・マルチモード移動局は、前のパケットの最後の再送に使用されたのと同じＯＦＤＭＡまたはプリコーデッドＣＤＭＡモードを使用して、新しいユーザ・データ・パケットを符号化し、変調する、または前のパケットの測定平均送信電力、および基地局によって行われた測定から決定され、基地局に直接報告される、または基地局によって行われ、移動局に改めて報告される測定から移動局によって計算される信号対干渉雑音電力比ＳＩＮＲの入力に基づいて、モードを切り替える決定を行う。
【００１０】
一実施形態において、前のパケットの測定平均送信電力は、最大平均ＯＦＤＭＡ送信電力と比較される。前のパケットがＯＦＤＭＡモードを使用して移動局によって送信された場合、前のパケットの測定された移動局送信電力が最大平均ＯＦＤＭＡ送信電力未満である場合、新しいパケットも、最大許容平均電力のＯＦＤＭＡを使用して符号化され、変調される。測定された移動局送信電力が最大平均ＯＦＤＭＡ送信電力以上である場合、受信されたまたは計算されたＯＦＤＭＡ  ＳＩＮＲが許容可能なＯＦＤＭＡデータ・レート未満であることを示し、許容可能なＣＤＭＡ送信電力が最大平均ＯＦＤＭＡ送信電力より大きい場合、新しいユーザ・データ・パケットは、最大許容平均ＣＤＭＡ電力のＣＤＭＡモードで送信され、この場合、許容可能なＣＤＭＡ送信電力は、最大平均ＣＤＭＡ送信電力および隣接するセクタによって課せられる任意の電力制限のうちの最小値である。
【００１１】
一実施形態において、前のパケットが、ＣＤＭＡモードを使用して移動局によって送信された場合、新しいユーザ・データ・パケットも、前のパケットの測定平均移動局送信電力が最大平均ＯＦＤＭＡ送信電力より大きい場合、その最大許容平均ＣＤＭＡ電力のＣＤＭＡモードを使用して送信される。前のパケットの測定平均移動局送信が最大平均ＯＦＤＭＡ送信電力以下であり、許容可能な平均ＯＦＤＭＡ送信電力が前のパケットの測定された移動局ＣＤＭＡ送信電力より大きく、よりよいデータ・レートはＯＦＤＭＡを使用して達成できることを、受信されたＯＦＤＭＡ  ＳＩＮＲが示す場合、新しいユーザ・データ・パケットは、最大許容ＯＦＤＭＡ平均送信電力のＯＦＤＭＡモードを使用して送信される。
【００１２】
本発明は、非限定的な実施形態の以下の説明を添付の図面と併せ読めば、よりよく理解されよう。
【図面の簡単な説明】
【００１３】
【図１】従来の方法によるハイブリッドＣＤＭＡ／ＯＦＤＭＡシステムにおける移動局の高レベル・ブロック図である。
【図２】本発明の一実施形態によるハイブリッドＣＤＭＡ／ＯＦＤＭＡシステムにおける移動局の高レベル・ブロック図である。
【図３】図２に示したようなハイブリッドＣＤＭＡ／ＯＦＤＭＡシステムにおいて、前のパケットに使用されたのと同じモードを使用して新しいユーザ・データ・パケットを送信すべきか、モードを切り替えるべきかを決定する、本発明の一実施形態による方法を示すフローチャートである。
【発明を実施するための形態】
【００１４】
図２を参照すると、ハイブリッド・プリコーデッドＣＤＭＡ−ＯＦＤＭＡシステムにおける移動局２０１が示されている。図１の従来のシステムと同様に、移動局２０１は、プリコーデッドＣＤＭＡエンコーダ／変調器２０２およびＯＦＤＭＡエンコーダ／変調器２０３を含む。ユーザ・データ・パケット２０４、およびあるとすればその後の再送は、ＣＤＭＡエンコーダ／変調器２０２またはＯＦＤＭＡエンコーダ／変調器２０３のいずれかによって符号化される。次いで、結果として生じた符号化され変調されたパケットは、増幅器／送信器２０６によって増幅され、送信された後、アップリンク２０５で基地局（図示せず）に送信される。送信されるべきそれぞれの新しいユーザ・データ・パケットによって表されるトラフィックのタイプに従ってＣＤＭＡモードとＯＦＤＭＡモードとの間を切り替える図１の従来技術のシステムとは異なり、図２の実施形態では、共通に制御されるスイッチ２０７−１および２０７−２のスイッチ位置は、増幅器／送信器２０６からスイッチ２０７−１にフィードバックされる移動局の測定平均送信電力と、基地局（図示せず）によって測定され、ダウンリンクを介して移動局受信器２０８に報告される、または基地局によって行われ、移動局に改めて報告される測定から移動局によって計算されるＯＦＤＭＡ  ＳＩＮＲとの組み合わせによって決定される。後述するように、各新しいユーザ・データ・パケット２０４に応答して、移動局２０１の運転モードは、前のユーザ・データ・パケットに使用されたものと同じままであるか、前のパケット中の測定移動局平均送信電力、および改めて報告され計算されるＯＦＤＭＡ  ＳＩＮＲに従って反対のモードに切り替えられる。
【００１５】
プレコーデッドＣＤＭＡモードまたはＯＦＤＭＡモードを使用して新しいユーザ・データ・パケットを符号化し、変調すべきであるかどうかの決定の方法が図３のフローチャートに示されている。ステップ３０１で、新しいユーザ・データ・パケットは、処理の用意ができている。ステップ３０２で、前に送信されたパケットまたはその再送のいずれかがＯＦＤＭＡモードを使用して処理されたか、ＣＤＭＡモードを使用して処理されたかの決定が行われる。前のパケットがＯＦＤＭＡモードを使用して処理された場合、ステップ３０３で、そのパケットの送信または再送中の移動局送信電力が、最大平均ＯＦＤＭＡ送信電力である第１の閾値、Ｔｒｅｓｈｏｌｄ１以上であったかどうかの決定が行われる。移動局の測定平均送信電力（すなわち、１フレームにわたる送信電力の平均値）が最大平均ＯＦＤＭＡ送信電力未満である場合、ステップ３０４で、新しいユーザ・データ・パケットもＯＦＤＭＡモードで処理され、最大許容平均ＯＦＤＭＡ送信電力を使用する許可されたＯＦＤＭＡ周波数リソースを介して送信され、この場合、許容可能な最大ＯＦＤＭＡ送信電力は、最大平均移動局ＯＦＤＭＡ送信電力制限（すなわちＴｈｒｅｓｈｏｌｄ１）および隣接するセクタからの制御信号によって課せられる任意の電力制限のうちの最小値である。ステップ３０３で、測定平均移動局送信電力が最大平均ＯＦＤＭＡ送信電力（Ｔｈｒｅｓｈｏｌｄ１）以上である場合、ステップ３０５で、基地局で測定され、ダウンリンクを介して移動局に報告される、または基地局によって行われ、移動局に改めて報告される測定から移動局によって計算されるＯＦＤＭＡ  ＳＩＮＲが、ＯＦＤＭＡを使用した最小許容可能データ・レートに対応するＳＩＮＲ閾値（Ｔｈｒｅｓｈｏｌｄ２）より大きいかどうかの決定が行われる。より詳細には、基地局によって測定され、移動局に報告されるＳＩＮＲは、移動局によってサポート可能なデータ・レートにマッピングされる。測定され、報告されたＳＩＮＲが許容可能なデータ・レートを示す場合、すなわち、そのＳＩＮＲ閾値（Ｔｈｒｅｓｈｏｌｄ２）より大きいことを示す場合、ステップ３０４で、新しいユーザ・データ・パケットは、ＯＦＤＭＡモードで処理され、最大許容平均ＯＦＤＭＡ送信電力を使用する許可されたＯＦＤＭＡ周波数リソースを介して送信される。そのＳＩＮＲでサポート可能なデータ・レートが低すぎるためにＳＩＮＲが許容できない場合、ステップ３０６で、処理のモードは、許容可能なＣＤＭＡ送信電力が最大平均ＯＦＤＭＡ送信電力（Ｔｈｒｅｓｈｏｌｄ１）より大きいかどうかを決定することによって、ＣＤＭＡに変更されるべきであるかどうかの決定が行われ、この場合、許容可能なＣＤＭＡ送信電力は、移動局の最大平均ＣＤＭＡ送信電力、および隣接するセクタからの制御信号によって課せられる電力制限のうちの最小値である。許容可能なＣＤＭＡ電力が最大平均ＯＦＤＭＡ送信電力（Ｔｈｒｅｓｈｏｌｄ１）より大きい場合、処理のモードは、ＯＦＤＭＡからＣＤＭＡに切り替えられ、ステップ３０７で、新しいパケットは、最大許容平均ＣＤＭＡ電力を使用するＣＤＭＡモードで送信される。しかし、許容可能なＣＤＭＡ電力がＯＦＤＭＡを使用���る最大平均送信電力以下である場合、移動局は、ＯＦＤＭＡモードにとどまり、ステップ３０４で、新しいユーザ・データ・パケットは、最大許容平均ＯＦＤＭＡ電力を使用するＯＦＤＭＡを使用して送信される。
【００１６】
ステップ３０２で、前のユーザ・データ・パケットがＣＤＭＡモードで処理されると、ステップ３０８で、パケットの送信に使用された測定平均移動局送信電力が最大平均ＯＦＤＭＡ送信電力（Ｔｈｒｅｓｈｏｌｄ１）以下であったかどうか、すなわち、ＯＦＤＭＡ電力制限未満である電力で送信する移動局であるかどうかの決定が行われる。移動局がそのＯＦＤＭＡ電力制限未満で送信していない場合、ステップ３０７で、新しいユーザ・データ・パケットは、最大許容平均ＣＤＭＡ電力を使用するＣＤＭＡを使用して送信される。しかし、ステップ３０８で、測定された移動局送信電力がＯＦＤＭＡ電力制限未満である場合、ステップ３０９で、許容可能平均ＯＦＤＭＡ送信電力が測定平均移動局送信電力より大きい（すなわち、測定送信電力より高い電力でＯＦＤＭＡを使用して送信することができる移動局である）かどうかの決定が行われる。許容可能な平均ＯＦＤＭＡ送信電力が測定平均ＣＤＭＡ移動局送信電力ほど大きくない場合、ステップ３０７で、新しいユーザ・データ・パケットは、最大許容平均ＣＤＭＡ電力を使用するＣＤＭＡモードを使用して送信される。許容可能なＯＦＤＭＡ送信電力が現在のＣＤＭＡ移動局送信電力より大きい場合、モードがＯＦＤＭＡに切り替えられる前に、ステップ３１０で、改めて報告される、または移動局で計算されるＯＦＤＭＡ  ＳＩＮＲが、ＣＤＭＡに比べてＯＦＤＭＡを使用することで、よりよいデータ・レートを達成可能であるかどうかを決定するＳＩＮＲ閾値（Ｔｈｒｅｓｈｏｌｄ３）より大きいかどうかの決定が行われる。ＯＦＤＭＡの使用ではよりよいデータ・レートを達成できない場合、モードは、切り替えられず、ステップ３０７で、パケットは、最大許容平均ＣＤＭＡ電力を使用するＣＤＭＡを使用して送信される。ＯＦＤＭＡの使用によってよりよいデータ・レートを達成できる場合、モードは、ＯＦＤＭＡに切り替えられ、ステップ３０４で、新しいユーザ・データ・パケットは、最大許容平均ＯＦＤＭＡ送信電力を使用するＯＦＤＭＡを使用して送信される。
【００１７】
有利には、上述した方法は、移動送信範囲が拡張され、セル端における最小データ・レートが増加することを確実にする。
【００１８】
また、低い信号対雑音比で、プリコーデッドＣＤＭＡ波形は、より低いパイロット・オーバーヘッドと、したがってよりよい性能とを提供することにも留意されたい。逆に、ＯＦＤＭＡ伝送のパイロット・オーバーヘッドは、プリコーデッドＣＤＭＡの場合より、高い信号対雑音比の場合の方がより低い（かつ性能全体が改善する）。したがって、上述した方法は、ＣＤＭＡ波形の低減されたＰＡＰＲによるだけでなく、セルの端において許容される一般により低いレートに必要なより低い信号対雑音比によっても範囲を拡張する。
【００１９】
提案されたハイブリッドＣＤＭＡ／ＯＦＤＭＡ３ＧＰＰ２システムとの組み合わせで説明したが、本発明は、例えばハイブリッドＯＦＤＭＡシステムおよびＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）システムなど、異なるＰＡＰＲを有する異なる２つの符号化／変調方式を使用する任意のタイプのシステムで使用することができる。
【００２０】
上記は単に、本発明の原理を示しているにすぎない。したがって、本明細書には明示的に記載したり示したりしていないが、本発明の原理を具体化し、その意図および範囲内に含まれる様々な構成を当業者が考案することができることを理解されよう。さらに、本明細書に示されているすべての例および条件的な言い回しは、主として、読者が本発明の原理および当分野を促進するために発明者によって寄与される概念を理解するのを助けるために、教育的な目的のみ明白に意図され、こうした特に示されている例および条件への限定のないものと解釈されるものとする。さらに、本発明の原理、態様、実施形態を述べる本明細書におけるすべての記述、およびその特定の例は、その構造的および機能的均等物を含むものとする。さらに、こうした均等物は、現在知られている均等物、および将来開発される均等物、すなわち、構造にかかわらず同じ機能を実行する開発された任意の要素を含むものとする。
【００２１】
したがって、例えば、本明細書におけるブロック図およびフローチャートは、本発明の原理を示す概念図を表すことを当業者であれば理解されよう。同様に、記載された様々なプロセスは、コンピュータ可読媒体において実質的に表すことができ、こうしたコンピュータまたはプロセッサが明示的に示されているかどうかにかかわらず、コンピュータまたはプロセッサによってそのように実行され得ることを理解されよう。
【００２２】
図２に示されている様々な要素の機能および図３に示されている様々なステップは、専用ハードウェア、および適切なソフトウェアとの関連でソフトウェアを実行することができるハードウェアの使用を介して提供され、かつ／または実行され得る。
【００２３】
本明細書の特許請求の範囲において、指定された機能を実行するための手段として表される任意の要素は、例えば、ａ）その機能を実行する回路要素の組み合わせ、またはｂ）機能を実行するためにそのソフトウェアを実行するのに適した回路と結合されるファームウェア、マイクロコードなどを含む、任意の形態のソフトウェアを含めて、その機能を実行する任意の方法を含むものとする。こうした特許請求の範囲によって定義される本発明は、記載された様々な手段によって提供される機能が、特許請求の範囲が請求する方法で結合され、集められるという事実にある。したがって、出願者は、これらの機能を提供することができる任意の手段を、本明細書に示されたものと等しいとみなす。
【図１】
2009543524.tif 000003
【図２】
2009543524.tif 000004
【図３】
2009543524.tif 000005
【国際調査報告】
2009543524.tif 000006
2009543524.tif 000007
2009543524.tif 000008